(57)【特許請求の範囲】
【請求項１】
パッケージが開封されたかどうかを検知するための方法であって、
前記パッケージ内に第１ＲＦＩＤ（Radio Frequency Identification）タグを設置するステップと、
前記第１ＲＦＩＤタグに引き剥がし可能な第１ディセーブラ・ワイヤを含めるステップと、
前記第１ＲＦＩＤタグが設置された後、前記パッケージが開封されることに応答して、前記第１ディセーブラ・ワイヤを用いて、前記第１ＲＦＩＤタグへの電源を変更するステップと、
前記電源が変更されることに応答して、前記第１ＲＦＩＤタグに固有の第１ＲＦＩＤ識別子の伝送の開始、停止、又は変更により、第１警報を識別するステップと、
前記第１ＲＦＩＤタグが第１背面を備え、前記第１背面は剥ぎ取り可能な第１引き剥がし部分と第１残置背面部分とを含み、
前記パッケージの第１表面に前記第１引き剥がし部分を確保するステップと、
前記パーケージの第２表面に前記第１残置背面部分を確保するステップと、
前記第１引き剥がし部分に前記第１ディセーブラ・ワイヤを確保するステップと、
前記パッケージが開封されることに応答して、前記第１背面から前記第１引き剥がし部分と前記第１ディセーブラ・ワイヤとが取り去られるステップであり、前記パッケージが開封された後にも、前記第１残置背面部分が依然として前記第２表面に確保されている、ステップと、
前記第１引き剥がし部分と前記第１ディセーブラ・ワイヤとが取り去られることに応答して、前記電源を変更するステップと、
前記パッケージ内に第２ＲＦＩＤ（Radio Frequency Identification）タグを設置するステップと、
前記第２ＲＦＩＤタグに引き剥がし可能な第２イネーブラ・ワイヤを含めるステップと、
前記第２ＲＦＩＤタグが設置された後、前記パッケージが開封されることに応答して、前記第２イネーブラ・ワイヤを用いて、前記第２ＲＦＩＤタグへの電源を変更するステップと、
前記電源が変更されることに応答して、前記第２ＲＦＩＤタグに固有の第２ＲＦＩＤ識別子の伝送の開始、停止、又は変更により、第２警報を識別するステップと、
前記第２ＲＦＩＤタグが第２背面を備え、前記第２背面は剥ぎ取り可能な第２引き剥がし部分と第２残置背面部分とを含み、
前記第１引き剥がし部分中に前記第２引き剥がし部分を確保するステップと、
前記第１残置背面部分中に前記第２残置背面部分を確保するステップと、
前記第２引き剥がし部分に前記第２イネーブラ・ワイヤを確保するステップと、
前記パッケージが開封されることに応答して、前記第１背面から前記第１引き剥がし部分が、前記第２背面から前記第２引き剥がし部分が取り去られるステップと、
前記第１引き剥がし部分と前記第１ディセーブラ・ワイヤとが取り去られることに応答して、前記第１ＲＦＩＤタグへ前記電源を変更するステップと、
前記第２引き剥がし部分と前記第２イネーブラ・ワイヤとが取り去られることに応答して、前記第２ＲＦＩＤタグへ前記電源を変更するステップと
を備える方法。
【請求項２】
前記第１ＲＦＩＤタグに固有の第１ＲＦＩＤ識別子を用いて、前記第１ＲＦＩＤタグを一意に識別するステップと、
前記電源が変更される前には、前記第１ＲＦＩＤタグの前記第１ＲＦＩＤ識別子が伝送されないようにするステップと、
前記第１ディセーブラ・ワイヤが前記ＲＦＩＤタグから取り去られることに応答して、前記第１ＲＦＩＤタグにより、前記第１ＲＦＩＤ識別子を伝送するステップとを更に備える請求項１に記載の方法。
【請求項３】
前記第１ＲＦＩＤタグに固有の第１ＲＦＩＤ識別子を用いて、前記第１ＲＦＩＤタグを一意に識別するステップと、
前記第２ＲＦＩＤタグに固有の第２ＲＦＩＤ識別子を用いて、前記第２ＲＦＩＤタグを一意に識別するステップと、
前記電源が前記第１ＲＦＩＤタグへ変更されるよりも前に、前記第１ＲＦＩＤタグにより、前記第１ＲＦＩＤ識別子を伝送するステップと、
前記電源が前記第２ＲＦＩＤタグへ変更される前には、前記第２ＲＦＩＤタグの前記第２ＲＦＩＤ識別子が伝送されないようにするステップと、
前記電源が前記第２ＲＦＩＤタグへ変更されることに応答して、前記第１ＲＦＩＤタグの前記第１ＲＦＩＤ識別子が伝送されないようにするステップと、
前記電源が前記第２ＲＦＩＤタグへ変更されることに応答して、前記第２ＲＦＩＤタグにより、前記第２ＲＦＩＤ識別子を伝送するステップとを更に備える請求項１に記載の方法。
【請求項４】
前記第１ＲＦＩＤタグが前記第１ＲＦＩＤタグの回路を含む第１マイクロチップを含み、前記第２ＲＦＩＤタグが前記第２ＲＦＩＤタグの回路を含む第２マイクロチップを含み、
前記第１ＲＦＩＤタグに固有の第１ＲＦＩＤ識別子を用いて、前記第１ＲＦＩＤタグを一意に識別するステップと、
前記第１ディセーブラ・ワイヤを利用して、前記第１マイクロチップに電源を供給しないようにするステップであり、前記第１ディセーブラ・ワイヤは前記第１ディセーブラ・ワイヤが存在するときに、前記第１マイクロチップに短絡を生じさせる引き剥がしワイヤであり、前記パッケージが開封される前は、前記第１ディセーブラ・ワイヤが存在し、前記第１ディセーブラ・ワイヤが存在する間、前記第１ＲＦＩＤタグは前記第１ＲＦＩＤ識別子を伝送することができない、ステップと、
前記第２ＲＦＩＤタグに固有の第２ＲＦＩＤ識別子を用いて、前記第２ＲＦＩＤタグを一意に識別するステップと、
前記第２ＲＦＩＤタグに含まれる前記第２イネーブラ・ワイヤを利用して、前記第２マイクロチップを電源に接続するステップであり、前記第２イネーブラ・ワイヤは前記第２イネーブラ・ワイヤが存在するとき、前記第２マイクロチップを電源へ接続する引き剥がしワイヤであり、前記パッケージが開封される前は、前記第２イネーブラ・ワイヤが存在し、前記第２イネーブラ・ワイヤが存在する間、前記第２ＲＦＩＤタグは前記第２ＲＦＩＤ識別子を伝送する、ステップと、
前記パッケージが開封されることに応答して、前記第２引き剥がし部分を前記第２ＲＦＩＤタグから引き剥がし、前記第２ＲＦＩＤタグが前記第２ＲＦＩＤ識別子を伝送することを停止するステップとを更に備える請求項１に記載の方法。
【発明の詳細な説明】
【技術分野】
【０００１】
本発明は、一般的には、パッケージが開封されたかどうかを決定するためのモニタリング装置に関するものであり、更に詳しく云えば、本発明は、モニタリング装置が特定のパッケージ内にインストールされた後にそのパッケージが開封されたかどうかを決定するための方法及び装置に関するものである。
【背景技術】
【０００２】
物品の盗難は、小売業者が直面している大きな問題である。盗難は、コンピュータ・ソフトウェア、ＤＶＤ、音楽ＣＤ、及びビデオ・ゲームのようなデジタル・メディアの場合、これらの物品が非常に高価であることがあるため、特に重要な問題である。これらの物品のデジタル・コンテンツを保存するために使用される記憶媒体は、非常にコンパクトであることが多く、盗み易くしている。
【０００３】
デジタル・メディアはパッケージ内に保存される。このパッケージのサイズは多様である。メディアの盗みを思い止まらせるために、或る場合には、隠すことを難しくするように、製造業者はパッケージを大きくし始めている。これに応じて、デジタル・メディアを含むパッケージ全体を持って行く代わりに、泥棒はそのパッケージを開いてデジタル・メディアをパッケージから取り出し、一般に、パッケージを店に残してメディアだけを持って行く。パッケージからのメディアの取り出しは、一般に、その泥棒が店を離れる前にその店内で行われる。
【０００４】
既知の解決策は、或るタイプのセキュリティ装置をパッケージそのものに取り付け、デジタル・メディアには取り付けない。或るタイプのセキュリティ検知装置は、セキュリティ装置がそのセキュリティ検知装置を通過したかどうかを検知するために、一般に店の入口に設置される。パッケージがセキュリティ装置を含む場合、泥棒は、パッケージを開封すること及びそのパッケージからデジタル・メディアを取り出すことによって、検知されることなくそのメディアを持って行くことができる。それは、セキュリティ装置がメディアに取り付けられていないためである。
【発明の開示】
【発明が解決しようとする課題】
【０００５】
本発明の課題は、或るパッケージが開封されたかどうかを検知するための装置及び方法を提供することである。
【課題を解決するための手段】
【０００６】
一般には製造時に、ＲＦＩＤ（Radio Frequency Identification）タグがパッケージに設置される（取り付けられる）。ＲＦＩＤダグには、１つのコンポーネントが含まれている。そのコンポーネントは、ＲＦＩＤタグが設置された後にパッケージが開封されたことに応答して、ＲＦＩＤタグに対する電源を変更する。ＲＦＩＤタグは、電源が変更されたことに応答して、イベント（event）の発生を表示する。
【発明を実施するための最良の形態】
【０００７】
本発明の実施例はパッケージが開封されたかどうかを検知するための装置及び方法である。この実施例は、製造時にパッケージ内に設置される１つまたは複数の修正（modified）ＲＦＩＤタグを使用する。その修正ＲＦＩＤタグは、製造プロセスが終了した以後にパッケージが開封されたかどうかを、警報の表示によって表示する。パッケージを開封するという物理的行為が、パッケージが開封されたという警報をＲＦＩＤタグに表示させる。更に、その修正ＲＦＩＤタグは特定のパッケージと関連付けられ、どの特定のパッケージが開封されたかを表すこともできる。
【０００８】
ＲＦＩＤリーダ（reader）が、特定の地理的範囲内で受信し得る問合せ信号をブロードキャストする。そこで、問合せ信号を受信及び処理することができるＲＦＩＤタグが、ＲＦＩＤタグの固有のＲＦＩＤ識別子をＲＦＩＤリーダに返送することによってその問合せ信号に応答する。固有のＲＦＩＤ識別子が、特定のＲＦＩＤタグを一意的に識別するためにそのＲＦＩＤタグに割り当てられる。
【０００９】
ＲＦＩＤタグはマイクロチップを含む。マイクロチップは、問合せ（interrogation）信号を処理及びそれに応答するそのＲＦＩＤタグにおけるロジックである。マイクロチップは、ＲＦＩＤタグが受信した問合せ信号に応答してそのＲＦＩＤタグのＲＦＩＤ識別子を伝送する責任を負う。
【００１０】
第１実施例は、パッケージが開封されるまでディセーブルされているＲＦＩＤタグであって「非アクティブ」モニタリング装置とも呼ばれるモニタリング装置である。パッケージが開封されるまでは、そのＲＦＩＤタグは、ＲＦＩＤリーダによって伝送された問合せ信号に応答しないであろう。即ち、ＲＦＩＤタグは、問合せ信号に応答してそれの固有のＲＦＩＤ識別子を伝送しないであろう。一旦パッケージが開封されると、ＲＦＩＤタグは、それがＲＦＩＤリーダから受信した問合せ信号に応答して、その固有のＲＦＩＤ識別子を伝送し始めるであろう。
【００１１】
第２実施例は、パッケージが開封状態になるまでイネーブルされているＲＦＩＦタグであって、本明細書では「アクティブ」モニタリング装置とも呼ばれるモニタリング装置である。パッケージが開封される前、ＲＦＩＤタグは、ＲＦＩＤリーダによって伝送された問合せ信号に応答してその固有のＲＦＩＤ識別子をＲＦＩＤリーダに返送するであろう。一旦パッケージが開封されると、ＲＦＩＤタグは、もはや、そのＲＦＩＤタグがＲＦＩＤリーダから受信した問合せ信号に応答してその固有のＲＦＩＤ識別子を伝送しないであろう。
【００１２】
第３実施例は、アクティブ・モニタリング装置および非アクティブ・モニタリング装置を含むモニタリング装置である。アクティブ・モニタリング装置および非アクティブ・モニタリング装置は、共に、一方のモニタリング装置が、他方のモニタリング装置が伝送していない間、それのＲＦＩＤ識別子を伝送するというように動作する。このように、第３実施例のモニタリング装置は、それがＲＦＩＤリーダから受信した問合せ信号に応答して一方のＲＦＩＤ識別子を伝送する。
【００１３】
この第３実施例では、パッケージが開封される前に、アクティブ・モニタリング装置は、それの固有の識別子をＲＦリーダに返送することによって、ＲＦリーダによって伝送された問合せ信号に応答するであろうが、非アクティブ・モニタリング装置は問合せ信号に応答しないであろう。一旦パッケージが開封されると、アクティブ・モニタリング装置は、もはや、ＲＦＩＤタグがＲＦＩＤリーダから受信した問合せ信号に応答してそれの固有のＲＦＩＤ識別子を伝送しないであろう。一旦パッケージが開封されると、非アクティブ・モニタリング装置は、ＲＦＩＤタグがＲＦＩＤリーダから受信した問合せ信号に応答して、それの固有のＲＦＩＤ識別子を伝送し始める。
【００１４】
第３実施例のモニタリング装置は、パッケージが開封されてない場合、第１ＲＦＩＤ識別子を伝送する。パッケージが開封された後、第３実施例のモニタリング装置は、第１ＲＦＩＤ識別子の伝送を停止し、第２ＲＦＩＤ識別子の伝送を開始する。このように、第３実施例のモニタリング装置は、パッケージが開封されてない場合には第１ＲＦＩＤ識別子を伝送し、パッケージが開封された場合には第２ＲＦＩＤ識別子を伝送する。
【００１５】
すべての実施例において、モニタリング装置に警報を表示させるのは、パッケージを開封するという物理的行為である。第１実施例では、警報は、ＲＦＩＤ識別子を伝送することである。第２実施例では、警報は、ＲＦＩＤ識別子を伝送しないことである。第３実施例では、警報は第１ＲＦＩＤ識別子から第２ＲＦＩＤ識別子に伝送を変更することである。
【００１６】
実施例は、受動的（パッシブ）ＲＦＩＤタグを利用して具現化されることが望ましい。受動的ＲＦＩＤタグにおけるマイクロチップは、ＲＦＩＤタグがＲＦＩＤリーダから受信した問合せ信号からＲＦＩＤタグのアンテナを介して電力を受ける。受動的ＲＦＩＤタグがそのアンテナから信号を受けることができない場合、受動的ＲＦＩＤタグは、無線周波（ＲＦ）信号を伝送することができない。
【００１７】
図１は、本発明の実施例によるモニタリング装置を含むＲＦＩＤタグ１００を示す。
【００１８】
ＲＦＩＤタグ１００は、アンテナ１０４に取り付けられたマイクロチップ１０２を含む。そのＲＦＩＤタグの固有の識別子がマイクロチップ１０２に保存されている。マイクロチップ１０２は、ＲＦＩＤタグ１００のロジックを含む集積回路である。マイクロチップ１０２は、図示のように、第１アンテナ接続部１０６および第２アンテナ接続部１０８においてアンテナ１０４にまたがって接続される。
【００１９】
ＲＦＩＤタグ１００は、パッケージが開封されるまで非アクティブであるので、本明細書では「非アクティブ」タイプのモニタリング装置として示される。図２のＲＦＩＤタグ２００は、それを保存しているパッケージが開封されるまで、それのＲＦＩＤ識別子を伝送しない。
【００２０】
ＲＦＩＤタグ１００は、アンテナ１０４からマイクロチップ１０２を取り除く（ディセーブルする）短絡回路を提供する取り除き可能なディセーブラ・ワイヤ１１０を含む。ディセーブラ・ワイヤ１１０は、マイクロチップ１０２を短絡するために接続部１１２および１１４において接続される。マイクロチップ１０２が短絡されているので、マイクロチップ１０２はアンテナ１０４からの信号を受信しないであろうし、従って、電力も受けないであろう。マイクロチップ１０２が短絡されているとき、それは、アンテナ１０４によって受信および検出された信号に応答しないであろう。マイクロチップ１０２はアンテナ１０４によって検出された信号に応答しないので、マイクロチップ１０２は、ＲＦＩＤリーダによって伝送される如何なる信号にも応答しないであろうし、ＲＦＩＤ識別子を伝送しないであろう。
【００２１】
ＲＦＩＤタグ１００は、バック（back：背部）１１６も含む。バック１１６には、引き剥がし部１１８が設けられる。引き剥がし部１１８は、それがバック１１６から容易に且つ完全に引き剥がされるようにミシン目を付けられている。ディセーブラ・ワイヤ１１０は、引き剥がし部１１８がバックから取り除かれるとき、ディセーブラ・ワイヤ１１０が接続部１１２、１１４から取り除かれるように、引き剥がし部１１８に取り付けられる。ディセーブラ・ワイヤ１１０が接続部１１２、１１４から取り除かれると、マイクロチップ１０２は、もはや、短絡されず、電力を受けるであろう。マイクロチップ１０２が、もはや、短絡されなくなるとき、マイクロチップ１０２は、それのＲＦＩＤ識別子を伝送することによって、それがリーダから受信した信号に応答するであろう。
【００２２】
引き剥がし部１１８がバック１１６から取り除かれる前には、ＲＦＩＤタグは、アンテナ１０４が検知し得る何れの問合せ信号にも応答しないであろう。引き剥がし部１１８がバック１１６から取り除かれた後では、ＲＦＩＤタグ１００は、アンテナ１０４がＲＦＩＤリーダから受信する問合せ信号に応答するであろう。このように、ＲＦＩＤタグ１００は、引き剥がし部１１８がバック１１６から取り除かれてしまうまでディセーブルされている。バック１１６から引き剥がし部１１８を取り除くことはＲＦＩＤタグ１００をイネーブルする。
【００２３】
図２は、本発明の実施例に従ってモニタリング装置を含むＲＦＩＤタグ２００を示す。
【００２４】
ＲＦＩＤタグ２００は、パッケージが開封されるまでそれがアクティブであるので、ここでは「アクティブ」タイプのモニタリング装置として説明される。ＲＦＩＤタグ２００は、それが保存されるパッケージが開封されるまで、それのＲＦＩＤ識別子を伝送する。
【００２５】
ＲＦＩＤタグ２００は、アンテナ２０４に取り付けられるマイクロチップ２０２を含む。そのＲＦＩＤタグの固有の識別子がマイクロチップ２０２に保存される。マイクロチップ２０２はＲＦＩＤタグ２００の集積回路である。マイクロチップ２０２は、第１アンテナ接続部２０６および第２アンテナ接続部２０８において図示のようにアンテナ２０４にまたがって接続される。ＲＦＩＤタグ２００は、マイクチップ２０２を第２アンテナ接続部２０８に接続するワイヤ２１０を含む。
【００２６】
ＲＦＩＤタグ２００はバック２１６を含む。バック２１６には、引き剥がし部２１８が設けられる。引き剥がし部２１８は、それがバック２１６から容易に且つ完全に引き剥がされるようにミシン目を付けられている。ワイヤ２１０は、引き剥がし部２１８がバック２１６から取り除かれるとき、接続点２１２から接続点２１４までのワイヤ２１０の一部分が取り除かれるように引き剥がし部２１８に取り付けられる。接続点２１２から接続点２１４までのワイヤ２１０の部分が「コンポーネント」である。ワイヤ２１０のその部分が取り除かれるとき、マイクロチップ２０２は、もはや、アンテナ２０４から電力を受けることができないであろう。マイクロチップ２０２が電力を受けることができないとき、マイクロチップ２０２は、もはや、ＲＦＩＤリーダから送られる問合せ信号に応答することができないであろうし、それのＲＦＩＤ識別子を伝送しないであろう。
【００２７】
引き剥がし部２１８がバック２１６から取り除かれる前には、ＲＦＩＤタグ２００は、アンテナ２０４がＲＦＩＤリーダから受信するいずれの問合せ信号にも応答するであろう。引き剥がし部２１８がバック２１６から取り除かれた後では、ＲＦＩＤタグ２００は、もはや、アンテナ２０４がＲＦＩＤリーダからの受信した如何なる問合せ信号にも応答しないであろう。このように、ＲＦＩＤタグ２００は、引き剥がし部２１８がバック２１６から取り除かれてしまうまでイネーブルされる。引き剥がし部２１８をバック２１６から取り除くことはＲＦＩＤタグ２００をディセーブルする。
【００２８】
図３は、本発明の実施例に従って、モニタリング装置を含むＲＦＩＤタグ３００を示す。
【００２９】
ＲＦＩＤタグ３００は、パッケージが開封されるまでそれが非アクティブであるので、ここでは「非アクティブ」タイプのモニタリング装置として説明される。ＲＦＩＤタグ３００は、それを保存しているパッケージが開封されるまで、それのＲＦＩＤ識別子を伝送しない。
【００３０】
ＲＦＩＤタグ３００は、アンテナ３０４に取り付けられたマイクロチップ３０２を含む。ＲＦＩＤタグの固有の識別子がマイクロチップ３０２に保存される。マイクロチップ３０２はＲＦＩＤタグ３００の集積回路である。マイクロチップ３０２は第１アンテナ接続部３０４および第２アンテナ接続部３０８において、図示のようにアンテナ３０４にまたがって接続される。
【００３１】
ＲＦＩＤタグ３００は、マイクロチップ３０２をアンテナ３０６から取り除く短絡回路を提供するディセーブラ・ワイヤ３１０を含む。ディセーブラ・ワイヤ３１０は「コンポーネント」である。ディセーブラ・ワイヤ３１０は、マイクロチップ３０２を短絡するために接続部３１２および３１４において接続される。マイクロチップ３０２は短絡されているので、そのマイクロチップは電力を受けられず、アンテナ３０４によって受信された如何なる信号にも応答しないであろう。マイクロチップ３０２はアンテナ３０４によって受信された如何なる信号にも応答しないので、そのマイクロチップ３０２は、ＲＦＩＤリーダによって伝送される如何なる信号にも応答しないであろうし、それのＲＦＩＤ識別子を伝送しないであろう。
【００３２】
ＲＦＩＤタグ３００は、更に、バック３１６を含む。バック３１６は、引き剥がし部３１８および残りのバック部３２０を含む。引き剥がし部３１８は、それが残りのバック部３２０から容易に且つ完全に引き剥がされるようにミシン目を付けられている。引き剥がし部３１８が残りのバック部３２０から引き剥がされるとき、ディセーブラ・ワイヤ３１０が接続部３１２、３１４から取り除かれるように、ディセーブラ・ワイヤ３１０が引き剥がし部３１８に取り付けられる。ディセーブラ・ワイヤ３１０が接続部３１２、３１４から取り除かれるとき、マイクロチップ３０２は、もはや、短絡されず、電力を受けるであろう。マイクロチップ３０２が、もはや、短絡されないとき、そのマイクロチップは、それのＲＦＩＤ識別子を伝送することによって、それがリーダから受信する信号に応答するであろう。
【００３３】
引き剥がし部３１８が残りのバック部３２０から取り除かれる前には、ＲＦＩＤタグ３００は、アンテナ３０４がＲＦＩＤリーダから受信する如何なる問合せ信号にも応答しないであろう。引き剥がし部３１８が残りのバック部３２０から取り除かれた後では、ＲＦＩＤタグ３００は、アンテナ３０４がＲＦＩＤリーダから受信する問合せ信号に応答するであろう。このように、ＲＦＩＤタグ３００は、引き剥がし部３１８が残りのバック部３２０から取り除かれてしまうまでディセーブルされる。引き剥がし部３１８を残りのバック部３２０から取り除くことは、ＲＦＩＤタグ３００が、それのＲＦＩＤ識別子を伝送することによって問合せ信号に応答するよう、ＲＦＩＤタグ３００をイネーブルする。
【００３４】
図４は、本発明の実施例に従って、モニタリング装置を含むＲＦＩＤタグ４００を示す。
【００３５】
ＲＦＩＤタグ４００は、ここでは、パッケージが開封されるまでそれがアクティブであるので、「アクティブ」タイプのモニタリング装置として説明される。ＲＦＩＤタグ４００は、それを保存しているパッケージが開封されるまで、それのＲＦＩＤ識別子を伝送する。
【００３６】
ＲＦＩＤタグ４００は、アンテナ４０４に取り付けられたマイクロチップ４０２を含む。ＲＦＩＤタグの固有の識別子がマイクロチップ４０２に保存されている。マイクロチップ４０２はＲＦＩＤタグ４００の集積回路である。マイクロチップ４０２は、第１アンテナ接続部４０６および第２アンテナ接続部４０８において、図示のようにアンテナ４０４にまたがって接続される。ＲＦＩＤタグ４００は、マイクロチップ４０２を第２アンテナ接続部４０８に接続するワイヤ４１０を含む。
【００３７】
ＲＤＩＤタグ４００はバック４１６を含む。バック４１６は、引き剥がし部４１８および残りのバック部４２０を含む。引き剥がし部４１８は、それが残りのバック部４２０から容易に且つ完全に引き剥がされるようにミシン目を付けられている。引き剥がし部４１８が残りのバック部４２０から引き剥がされるとき、接続部４１２から接続部４１４までのワイヤ４１０の一部分が取り除かれる。接続部４１２から接続部４１４までのワイヤ４１０のその部分は「コンポーネント」である。ワイヤ４１０のその部分が取り除かれるとき、マイクロチップ４０２は、もはや、アンテナ４０４から電力を受けることができないであろう。マイクロチップ４０２は、もはや、電力を受けることができないとき、マイクロチップ４０２は、もはや、アンテナ４０４によって受信される問合せ信号に応答することができないであろう。従って、マイクロチップ４０２は、ＲＦＩＤリーダから送られる如何なる信号にも応答することができないであろうし、それのＲＦＩＤ識別子を伝送することもできないであろう。
【００３８】
引き剥がし部４１８が残りのバック部４２０から取り除かれる前には、ＲＦＩＤタグ４００は、それのＲＦＩＤ識別子を伝送することによって、アンテナ４０４がＲＦＩＤリーダから受信するいずれの問合せ信号にも応答するであろう。引き剥がし部４１８が残りのバック部４２０から取り除かれた後では、ＲＦＩＤタグ４００は、もはや、アンテナ４０４がＲＦＩＤリーダから受信する如何なる問合せ信号にも応答しないであろうし、ＲＦＩＤ識別子を伝送しないであろう。このように、ＲＦＩＤタグ４００は、引き剥がし部４１８が残りのバック部４２０から取り除かれてしまうまでイネーブルされる。引き剥がし部４１８を残りのバック部４２０から取り除くことはＲＦＩＤタグ４００をディセーブルする。
【００３９】
図５は、本発明の実施例に従って、モニタリング装置５０２を有するＲＦＩＤタグを含むパッケージ５００の側断面図である。図６は、本発明の実施例による図５の部分Ａの部分的拡大図である。
【００４０】
パッケージ５００には、デジタル記憶媒体５０４が含まれる。製造過程で、モニタリング装置５０２がパッケージ５００に設置される。モニタリング装置５０２はバック５０６を含む。バック５０６は、引き剥がし部５０８および残りのバック部５１０を含む。モニタリング装置５０２が製造過程で設置された後であって、パッケージ５００が開封される前では、図６に示されるように、引き剥がし部５０８はバック５０６に接続されたままである。
【００４１】
残りのバック部５１０は、固着層５２０を利用してパッケージ５００の最上部５１２にのみ固着される。引き剥がし部５０８は、固着層５２２を利用して最下部５１４のみに固着される。図示の例では、引き剥がし部５０８は、最下部５１４の一部であるスピンドル５１５に固着される。従って、最上部５１２が動かされるとき、残りのバック部５１０が最上部５１２と共に動く。最下部５１４が動かされるとき、引き剥がし部５０８が最下部５１４と共に動く。
【００４２】
図示の例では、パッケージ５００はヒンジ付き端部５２４および開口端部５２６を含む。開口端部５２６は、ヒンジ５３０を利用して、最上部５１２が最下部５１４から揺動してヒンジ付き端部５２４の周りを回動することを可能にするために分離することが可能である。パッケージ５００が開封されるとき、最上部５１２は、分離している開口端部５２６によって最下部５１４から離れるように動かされる。パッケージ５００が開封されるとき、残りのバック部５１０は最上部５１２に固着されたままであり、引き剥がし部５０８は最下部５１４に固着されたままであるので、引き剥がし部５０８はバック５０６から完全に引き剥がされる。
【００４３】
図１に示されたＲＦＩＤタグ１００がモニタリング装置５０２を具現化するために使用される場合、パッケージ５００が開封されるまで、モニタリング装置５０２はディセーブルされるであろう。即ち、パッケージ５００が閉じられたままである限り、モニタリング装置５０２は、それがＲＦＩＤリーダから受信する信号に応答しないであろう。モニタリング装置５０２は、パッケージ５００が開封されていない限り、それのＲＦＩＤ識別子を伝送しないであろう。パッケージ５００が開封される場合、引き剥がし部１１８がバック１１６から取り除かれる。引き剥がし部１１８がバック１１６から取り除かれるとき、ディセーブラ・ワイヤ１１０が接続部１１２、１１４から取り除かれ、従ってマイクロチップ１０２から短絡回路を取り除く。そこで、マイクロチップ１０２は機能することができる。この時点で、ＲＦＩＤタグ１００は、それがＲＦＩＤリーダから受信する問合せ信号に応答するだろうし、それのＲＦＩＤ識別子を伝送するであろう。
【００４４】
図２に示されたＲＦＩＤタグ２００がモニタリング装置５０２を具現化するために使用される場合、パッケージ５００が開封されるまで、モニタリング装置５０２はイネーブルさていれるであろう。即ち、パッケージ５００が閉じられたままである限り、モニタリング装置５０２は、それのＲＦＩＤ識別子を伝送することによって、それがＲＦＩＤリーダから受信する信号に応答するであろう。モニタリング装置５０２は、パッケージ５００が開封されない限り、それのＲＦＩＤ識別子を伝送するであろう。パッケージ５００が開封される場合、引き剥がし部２１８がバック２１６から取り除かれる。引き剥がし部２１８がバック２１６から取り除かれるとき、接続部２１２から２１４までのワイヤ２１０部分が取り除かれ、従って電源をマイクロチップ２０２から取り除くことによってマイクロチップ２０２を回路から取り除く。そこで、マイクロチップ２０２は、もはや、機能することができない。この時点で、ＲＦＩＤタグ２００は、それがＲＦＩＤリーダから受信する問合せ信号に応答しないだろうし、もはや、それのＲＦＩＤ識別子を伝送しないであろう。
【００４５】
図７は、本発明の実施例に従って、各々がモニタリング装置を有する複数のＲＦＩＤタグを含むパッケージ６００の側断面図である。図８は、本発明の実施例による図７の部分Ａの部分的拡大図である。
【００４６】
デジタル記憶媒体６０２のような物品がパッケージ６００に含まれる。製造過程で、複数のモニタリング装置、例えば、モニタリング装置６０４および６０５がパッケージ６００に設置される。モニタリング装置６０４はバック６０６を含む。バック６０６は、引き剥がし部６０８および残りのバック部６１０を含む。モニタリング装置６０５はバック６１２を含む。バック６１２は、引き剥がし部６１４および残りのバック部６１６を含む。
【００４７】
製造過程でモニタリング装置６０４および６０５が設置された後であって、パッケージ６００が開封される前では、図８に示されるように、引き剥がし部６０８はバック６０６に接続されたままであり、引き剥がし部６１４はバック６１２に接続されたままである。
【００４８】
モニタリング装置６０４および６０５は、パッケージ６００の最上部６２０および最下部６２２の間に挟持される。残りのバック部６１６が、固着層６２４を利用してパッケージ６００の最上部６２０にのみ固着される。残りのバック部６１０が、固着層６２６を利用して残りのバック部６１６にのみ固着される。このように、残りのバック部６１０および６１６は、単一のユニットとして一体的に動作する。従って、最上部６２０が動かされるとき、残りのバック部６１０および６１６は最上部６２０と一体的に動く。
【００４９】
引き剥がし部６０８は、固着層６３０を利用して最下部６２２に固着される。図示の例では、引き剥がし部６０８が、最下部６２２の一部であるスピンドル６３２に固着される。引き剥がし部６１４は、固着層６３６を利用して引き剥がし部６０８のみに固着される。このように、引き剥がし部分６０８および６１４は、単一のユニットとして一体的に動作する。従って、最上部６２２が動かされるとき、引き剥がし部６０８および６１４は最下部６２２と一体的に動く。
【００５０】
図示の例では、パッケージ６００はヒンジ付き端部６４０および開口端部６４２を含む。開口端部６４２は、ヒンジ６４４を利用して、最上部６２０が最下部６２２から揺動してヒンジ付き端部６４０の周りを回動することを可能にするために分離することが可能である。パッケージ６００が開封されるとき、最上部６２０は、分離している開口端部６４２によって最下部６２２から離れるように動かされる。パッケージ６００が開封されるとき、残りのバック部６１６は最上部６２０に固着されたままであり、残りのバック部６１０は残りのバック部６１６に固着されたままである。
【００５１】
パッケージ６００が開封されるとき、引き剥がし部６０８は最下部６２２に固着されたままであり、引き剥がし部６１４は引き剥がし部６０８に固着されたままである。パッケージ６００が開封されるとき、引き剥がし部６０８はバック６０６から完全に引き剥がされ、引き剥がし部６１４もバック６１２から完全に引き剥がされる。
【００５２】
パッケージ６００は１つの非アクティブ・タイプのモニタリング装置および１つのアクティブ・タイプのモニタリング装置を含む。例えば、モニタリング装置６０４が非アクティブ・モニタリング装置である場合、モニタリング装置６０５はアクティブ・モニタリング装置である。ＲＦＩＤタグ１００はモニタリング装置６０４または６０５のどちらかを具現化するために使用されるとき、ＲＦＩＤタグ２００が他のモニタリング装置を具現化するために使用される。
【００５３】
これとは別に、ＲＦＩＤタグ３００はモニタリング装置６０４または６０５のどちらかを具現化するために使用されるとき、ＲＦＩＤタグ４００が他方のモニタリング装置を具現化するために使用される。
【００５４】
図９は、本発明の実施例に従って、パッケージを開封するという事態が生じたかどうかを表すために、ＲＦＩＤタグの識別子を特定のパッケージと関連付ける動作を表す高レベルのフローチャートを示す。このプロセスは、ブロック７００によって示されるように開始し、しかる後、特定のパッケージを受け取ることを表すブロック７０２に進む。次に、ブロック７０４は、そのパッケージが１つまたは複数のモニタリング装置を含むかどうかを決定することを示す。１つのＲＦＩＤタグとして具現化された１つのモニタリング装置をそのパッケージが含むという決定が行われる場合、プロセスはブロック７０６に進む。ブロック７０６は、モニタリング装置に含まれるＲＦＩＤタグに対して、ＲＦＩＤタグの識別子をこの特定のパッケージと関連付けることを示す。
【００５５】
そこでプロセスはブロック７０８に進む。プロセス７０８は、モニタリング装置がアクティブ・モニタリング装置であるか又は非アクティブ・モニタリング装置であるかに関する決定を表す。モニタリング装置がアクティブ・モニタリング装置であるという決定が行われる場合、プロセスはブロック７１０に進む。ブロック７１０は、モニタリング装置に含まれたＲＦＩＤタグに対するＲＦＩＤ識別子を保存すること、および未開封を表すＲＦＩＤ識別子であるとしてそれにマークを付することを示す。そこで、プロセスは、ブロック７１４によって表されるように終了する。
【００５６】
ブロック７０８を再び参照すると、モニタリング装置が非アクティブ・モニタリング装置であるという決定が行われる場合、プロセスはブロック７１２に進む。ブロック７１２は、モニタリング装置に含まれたＲＦＩＤタグに対するＲＦＩＤ識別子を保存すること、および開封済みを表すＲＦＩＤ識別子であるとしてそれにマークを付することを示す。そこで、プロセスは、ブロック７１４によって表されるように終了する。
【００５７】
ブロック７０４を再び参照すると、パッケージが、ＲＦＩＤタグとして具現化された複数のモニタリング装置を含むという決定が行われる場合、プロセスはブロック７１６に進む。ブロック７１６は、アクティブ・モニタリング装置に含まれたＲＦＩＤタグに対するＲＦＩＤ識別子、および非アクティブ・モニタリング装置に含まれたＲＦＩＤタグに対するＲＦＩＤ識別子をこの特定のパッケージと関連付けることを表す。次に、ブロック７１８は、アクティブ・モニタリング装置に含まれたＲＦＩＤタグのＲＦＩＤ識別子を保存すること、および未開封を表すＲＦＩＤ識別子であるとしてそれにマークを付することを示す。しかる後、ブロック７２０は、非アクティブ・モニタリング装置に含まれたそのＲＦＩＤタグに対するＲＦＩＤ識別子を保存すること、および開封済みを表すＲＦＩＤ識別子であるとしてそれにマークを付することを示す。そこで、プロセスは、ブロック７１４によって示されるように終了する。
【００５８】
図１０は、本発明の実施例に従って、警報を表示するモニタリング装置を説明する高レベルのフローチャートを示す。プロセスはブロック８００によって示されるように開始し、ブロック８０２に進む。ブロック８０２は、パッケージが開封されているかどうかの決定を示す。パッケージが開封されていないという決定が行われる場合、プロセスはブロック８０２に戻る。パッケージが開封されたという決定が行われる場合、プロセスはブロック８０４に進む。ブロック８０４はモニタリング装置が変更されたことを示す。パッケージを開封するという物理的な行為は、残りのバック部から剥ぎ取り部を分離することによってモニタリング装置を変更する。
【００５９】
次に、ブロック８０６が、モニタリング装置が警報を表示することを示す。モニタリング装置が非アクティブ・モニタリング装置である場合、そのモニタリング装置におけるＲＦＩＤタグは、それのＲＦＩＤ識別子を伝送し始めるであろう。この場合、警報はＲＦＩＤ識別子の伝送である。
【００６０】
モニタリング装置がアクティブ・モニタリング装置である場合、そのモニタリング装置におけるＲＦＩＤタグは、それのＲＦＩＤ識別子の伝送を停止するであろう。この場合、警報はＲＦＩＤ識別子の伝送のがないことである。
【００６１】
モニタリング装置がアクティブ・モニタリング装置および非アクティブ・モニタリング装置の組合せを含む場合、警報はアクティブ・モニタリング装置のＲＦＩＤ識別子の伝送から非アクティブ・モニタリング装置のＲＦＩＤ識別子の伝送への変化である。
【００６２】
そこで、プロセスはブロック８０８によって示されるように終了する。
【００６３】
図１１は、本発明の実施例に従って、パッケージが開封されているかどうかを決定することを示す高レベルのフローチャートである。プロセスはブロック９００によって示されるように開始し、ブロック９０２に進む。ブロック９０２は、ＲＦＩＤリーダが問合せ信号を伝送すること示す。次に、ブロック９０４が、ＲＦＩＤリーダがそれの問合せ信号に対する応答を受信したかどうかを決定することを表す。ＲＦＩＤリーダがそれの問合せ信号に対する応答を受信していないという決定が行われる場合、プロセスはブロック９０５に進む。ブロック９０５は、特定のＲＦＩＤ識別子を含む特定の応答が期待されたかどうかを決定することを示す。特定のＲＦＩＤ識別子が期待されなかったという決定が行われる場合、プロセスはブロック９０２に戻る。再びブロック９０５を参照すると、特定のＲＦＩＤ識別子を含む応答が期待されたという決定が行われる場合、プロセスはブロック９１２に進む。
【００６４】
ブロック９０４を再び参照すると、ＲＦＩＤリーダがそれの問合せ信号に対する応答を受信しているという決定が行われる場合、プロセスはブロック９０６に進む。ブロック９０６は、応答したＲＦＩＤタグのＲＦＩＤ識別子を決定することを表す。ＲＦＩＤタグが問合せ信号に応答するとき、ＲＦＩＤタグはそれのＲＦＩＤ識別子をその応答信号に含むであろう。しかる後、ブロック９０８が、ＲＦＩＤリーダに含まれたモニタ・テーブルにおいてＲＦＩＤ識別子をルックアップすることを示す。モニタ・テーブルは、ＲＦＩＤタグ識別子のリストおよび開封済みか又は未開封かのどちらをその識別子が表しているかの情報を含む。
【００６５】
そこでプロセスはブロック９１０に進む。ブロック９１０は、パッケージが開封されていることをＲＦＩＤ識別子が示しているかどうかを決定することを表す。未開封であったことをＲＦＩＤ識別子が表す場合、プロセスはブロック９０２に戻る。パッケージが開封されていることをＲＦＩＤ識別子が表す場合、プロセスはブロック９１２に進む。ブロック９１２は、どの特定のパッケージが開封されているかを識別するためにＲＦＩＤ識別子を使用することを表す。そこで、プロセスは、ブロック９１４によって示されるように、終了する。
【００６６】
図１２は、本発明の実施例を含むコンピュータ・システムのブロック図である。コンピュータ・システム１０００はＲＦＩＤリーダとして使用することが可能であり、或いはＲＦＩＤリーダ１０５０のようなＲＦＩＤリーダを含むことも可能である。
【００６７】
コンピュータ・システム１０００は、システム・バス１００６に接続された複数のプロセッサ１００２および１００４を含む対称マルチプロセッサ（ＳＭＰ）・システムであってもよい。それとは別に、シングル・プロセッサ・システムが使用されてもよい。図示の例では、プロセッサ１００４はサービス・プロセッサである。システム・バス１００６には、メモリ・コントローラ／キャッシュ１００８も接続される。Ｉ／Ｏバス・ブリッジ１０１０がシステム・バス１００６に接続され、Ｉ／Ｏバス１０１２に対するインターフェースを提供する。メモリ・コントローラ／キャッシュ１００８およびＩ／Ｏバス・ブリッジ１０１０は、図示のように統合することも可能である。
【００６８】
Ｉ／Ｏバス１０１２に接続されたペリフェラル・コンポーネント・インターコネクト（ＰＣＩ）バス・ブリッジ１０１４がＰＣＩローカル・バス１０１６に対するインターフェースを提供する。多くのモデムをＰＣＩバス１０１６に接続することも可能である。代表的なＰＣＩバスの具現化態様は、４つのＰＣＩ拡張スロットまたはアドイン・コネクタをサポートするであろう。他のコンピュータへの通信リンクは、アドイン・ボードを介してＰＣＩローカル・バス１０１６に接続されたモデム１０１８および通信アダプタ１０２０を介して設けることも可能である。
【００６９】
更なるＰＣＩバス・ブリッジ１０２２および１０２４が更なるＰＣＩバス１０２６および１０２８に対するインターフェースを提供し、それらのＰＣＩバスから、更なるモデムまたはネットワーク・アダプタがサポートされることも可能である。このように、データ処理システム（コンピュータ・システム）１０００は、複数のネットワーク・コンピュータへの接続を可能にする。
【００７０】
メモリ・マップ・グラフィックス・アダプタ１０３０がＩ／Ｏアダプタ・カード１０３３を介してＰＣＩバス１０２８に接続される。
【００７１】
ハードディスク・ドライブ１０３６のような記憶装置がＩ／Ｏアダプタ・カード１０３８を介してバス１０２８のようなＰＣＩバスに接続される。ハードディスク・ドライブ１０３６は、任意のタイプのテクノロジを使用して具現化することが可能である。
【００７２】
取外し可能な媒体を受け入れる記憶装置ドライブのような別の記憶装置ドライブ１０４０がシステム１０００に含まれる。記憶装置ドライブ１０４０が、Ｉ／Ｏアダプタ・カード１０４２を介してＰＣＩバス１０２６に接続される。ＣＤ−ＲＯＭ、フレキシブル・ディスク、又は他の取外し可能媒体のようなデジタル記憶取外し可能媒体に保存されたデータを、そのデジタル記憶媒体がデジタル媒体ドライブ１０４０に挿入されたとき、読取るために、即ち、再生するために、デジタル媒体ドライブ１０４０を利用することが可能である。デジタル記憶媒体に保存されたデータを再生するために、他のタイプのデジタル記憶媒体をデジタル媒体ドライブ１０４０において利用することも可能である。
【００７３】
コンピュータ・システム１０００は、ＲＦＩＤトランスミッタ／レシーバ・リーダ（ＲＦＩＤリーダ）１０５０を含む。ＲＦＩＤリーダ１０５０は、それがＩ／Ｏバス１０１２とコミュニケーションを行い得るようにそのＲＦＩＤリーダ１０５０をＩ／Ｏバス１０１２に接続するためのシリアル・インターフェース１０５２を含む。更に、ＲＦＩＤリーダ１０５０は、アンテナ１０５６が接続された無線周波（ＲＦ）インターフェース１０５４を含む。ＲＦインターフェース１０５４は、アンテナ１０５６を利用して無線周波信号を受信および送信する。
【００７４】
ＲＦＩＤリーダ１０５０は、ＲＦＩＤ問合せ信号を伝送すること及びＲＦＩＤタグから応答信号を受信及び処理することが可能である。
【００７５】
コンピュータ・システム１０００は、グローバル・ポジショニング・システム（ＧＰＳ）装置１０６０も含む。ＧＰＳ装置１０６０は、それがＩ／Ｏバス１０１２とコミュニケーションを行い得るようにそのＧＰＳ装置１０６０をＩ／Ｏバス１０１２に接続するためのシリアル・インターフェース１０６２を含む。更に、ＧＰＳ装置１０６０は、アンテナ１０６６が結合される無線周波（ＲＦ）インターフェース１０６４を含む。ＲＦインターフェース１０６４は、アンテナ１０６６を利用して無線周波信号を受信および送信する。
【００７６】
本発明の実施例は、パッケージングに伴う不正開封を検知するためにも使用することが可能である。例えば、本発明の実施例は、パッケージがまだ小売店内にある間にそのパッケージが開封されかどうかを決定するために使用することも可能である。
【００７７】
本発明の実施例は、医薬品を保管するようなホイル（foil）・パッケージをモニタするためにも使用することが可能である。ホイル・パッケージが破られるとき、モニタリング装置はホイル・パッケージを開封するという事態を表示するであろう。このように、病院のシステムは、その事態がいつ及びどこで生じたかを決定することができるであろう。
【００７８】
図１２に示されたハードウェアが変更し得るものであることは当業者には明らかであろう。図示のハードウェアの他に、又はそれの代わりに、例えば、光ディスク・ドライブ等のような他の周辺装置を使用することも可能である。図示の例は、好適な実施例に関してアーキテクチャ上の限定を含むことを意味するものではない。
【００７９】
本発明は、全体的にハードウェアの実施例、全体的にソフトウェアの実施例、またはハードウェア及びソフトウェアの両方を含む実施例の形式を取ることが可能である。好適な実施例では、本発明は、ファームウェア、常駐ソフトウェア、マイクロコード等を含むがそれに限定されないソフトウェアにおいて具現化される。
【００８０】
更に、本発明は、コンピュータ又は任意の命令実行システムによって又はそれに関連して使用するためのプログラム・コードを提供するコンピュータ使用可能媒体又はコンピュータ可読媒体からアクセスし得るコンピュータ・プログラムの形式を取ることも可能である。この説明のために、コンピュータ使用可能媒体又はコンピュータ可読媒体は、命令実行システム、装置、又はデバイスによって又はそれに関連して使用するためのプログラムを含み得る、または記憶し得る、またはコミュニケーションを行い得る、または伝播し得る、または搬送し得る任意の装置であることが可能である。
【００８１】
その媒体は、電子的、磁気的、光学的、電磁的、赤外線、または半導体システム（または装置またはデバイス）、或いは伝播媒体であることが可能である。コンピュータ可読媒体の例は、半導体またはソリッド・ステート・メモリ、磁気テープ、取外し可能コンピュータ・ディスケット、ランダム・アクセス・メモリ（ＲＡＭ）、リード・オンリ・メモリ（ＲＯＭ）、固定磁気ディスク、及び光ディスクを含む。光ディスクの現在の例は、コンパクト・ディスク・リード・オンリ・メモリ（ＣＤ−ＲＯＭ）、コンパクト・ディスク・リード／ライト（ＣＤ−Ｒ／Ｗ）、及びＤＶＤを含む。
【００８２】
プログラム・コードを記憶／実行するに適したデータ処理システムは、システム・バスを介してメモリ素子に直接的または間接的に接続された少なくとも１つのプロセッサを含むであろう。メモリ素子は、プログラム・コードの実際の実行中に使用されるローカル・メモリ、大容量記憶装置、および、実行中にコードが大容量記憶装置から検索されなければならない回数を減らすために少なくとも幾つかのプログラム・コードの一時的な記憶装置を提供するキャッシュ・メモリを含むことが可能である。
【００８３】
入出力装置、即ちＩ／Ｏ装置（キーボード、ディスプレイ、ポインティング・デバイス等を含むがそれに限定されない）は、直接にまたはＩ／Ｏコントローラの介在を通してシステムに接続することが可能である。
【００８４】
データ処理システムが私設または公衆ネットワークの介在によって他のデータ処理システムまたはリモート・プリンタもしくは記憶装置に接続されることを可能にするために、ネットワーク・アダプタをそのデータ処理システムに結合することも可能である。モデム、ケーブル・モデム、及びイーサネット(R)・カードも、数少ない現在使用可能なタイプのネットワーク・アダプタである。
【００８５】
好適な実施例に関する記述は、説明を目的として行われたものであり、網羅的であることまたは開示された形式に発明を限定することを意図するものではない。当業者には、多くの修正点及び変更点が明らかであろう。実施例は、発明の原理、実用的な応用に関する最善の説明を行うために、及び意図された特定の用途に適した種々の修正を伴う種々の実施例に対して当業者が本発明を理解することを可能にするために、選択及び説明された。
【図面の簡単な説明】
【００８６】
【図１】本発明の実施例に従って、モニタリング装置を含むＲＦＩＤタグ１００を示す概略図である。
【図２】本発明の実施例に従って、モニタリング装置を含むＲＦＩＤタグ２００を示す概略図である。
【図３】本発明の実施例に従って、モニタリング装置を含むＲＦＩＤタグ３００を示す概略図である。
【図４】本発明の実施例に従って、モニタリング装置を含むＲＦＩＤタグ４００を示す概略図である。
【図５】本発明の実施例に従って、モニタリング装置を含むＲＦＩＤタグ１００を有するパッケージ５００の側断面図である。
【図６】図５に示されたパッケージ５００の部分的拡大図である。
【図７】複数のＲＦＩＤタグ（各ＲＦＩＤタグが本発明の実施例によるモニタリング装置を含む）を含むパッケージ６００の側断面図である。
【図８】図７に示されたパッケージ６００の部分的拡大図である。
【図９】本発明の実施例に従って、パッケージが開封されたかどうかを表すためにＲＦＩＤタグ識別子をパッケージと関連付ける動作を示す高レベルのフローチャートである。
【図１０】本発明の実施例に従って、モニタリング装置を含むパッケージが開封されたことを、モニタリング装置が表すことを示す高レベルのフローチャートである。
【図１１】本発明の実施例に従って、特定のパッケージが開封されたかどうかを決定することを示す高レベルのフローチャートである。
【図１２】本発明の実施例を含むコンピュータ・システムのブロック図である。
【図１】
0005506135.tif 000002
【図２】
0005506135.tif 000003
【図３】
0005506135.tif 000004
【図４】
0005506135.tif 000005
【図５】
0005506135.tif 000006
【図６】
0005506135.tif 000007
【図７】
0005506135.tif 000008
【図８】
0005506135.tif 000009
【図９】
0005506135.tif 000010
【図１０】
0005506135.tif 000011
【図１１】
0005506135.tif 000012
【図１２】
0005506135.tif 000013